(57)【要約】【課題】  強度が高く、使用される金属原材料は少ない構造改良型枡蓋の提供。【解決手段】  本発明は地下または水中構造物に関するものであり、特に構造改良型枡蓋に関するものである。本発明には次の技術案が採用されている。つまり構造改良型枡蓋であり、その枡蓋本体は数本水平に並列配置されて固定接続されている第一金属管で構成されており、各第一金属管内にはすべてコンクリートが充填されている。本発明の枡蓋本体には複数本の第一金属管とコンクリートとが含まれ、複数本の第一金属管の金属原材料は少なく、コストは低く、コンクリートが複数本の第一金属管内に充填されているため、強度が良好であり、金属管の剪断強度は高い。たとえ窃盗者が枡蓋を盗んだとしても、金属原材料を取り出すことは非常に困難であるため、窃盗者はそれを盗み出すことができない。また前記第一金属管は方形管とすることができ、円形管とすることもできる。【選択図】  図１
2006132155.tif 000002
【特許請求の範囲】
【請求項１】
複数本水平に並列配置されて固定接続される第一金属管から構成される枡蓋本体からなり、
各第一金属管内にはすべてコンクリートが充填されていることを特徴とする構造改良型枡蓋。
【請求項２】
前記枡蓋本体の上側面には樹脂層またはガラス繊維強化プラスチック層が付着されてなり、
該樹脂層又はガラス繊維強化プラスチック層の上平面は水平面であることを特徴とする請求項１記載の構造改良型枡蓋。
【請求項３】
前記枡蓋本体が隣接する２本の第一金属管の間の対応する側面は、溶接または粘着により隙間なしに固定接続されていることを特徴とする請求項１記載の構造改良型枡蓋。
【請求項４】
前記枡蓋本体が隣接する２本の第一金属管の間の対応する側面は、溶接または粘着により隙間を有して固定接続されていることを特徴とする請求項１記載の構造改良型枡蓋。
【請求項５】
前記枡蓋本体には補強層が固定接続されており、
該補強層は、複数本水平に並列配置されて固定接続されている第二金属管で構成され、
各第二金属管内には、すべてコンクリートが充填されていることを特徴とする請求項１記載の構造改良型枡蓋。
【請求項６】
前記補強層において複数本の並列配置されている第二金属管と、前記枡蓋本体において複数本並列配置されている第一金属管とが、交叉または交錯して配列されていることを特徴とする請求項５記載の構造改良型枡蓋。
【請求項７】
前記補強層の隣接する２本の第二金属管の間の対応する側面は、溶接または粘着により隙間なしに固定接続されていることを特徴とする請求項３または５記載の構造改良型枡蓋。
【請求項８】
前記補強層の隣接する２本の第二金属管の間の対応する側面は、溶接または粘着により隙間を有して固定接続されていることを特徴とする請求項４または５記載の構造改良型枡蓋。
【請求項９】
前記枡蓋本体には第二補強層が固定接続されており、
該第二補強層は、複数本水平に並列配置されて固定接続されている第三金属管で構成されており、
各第三金属管内にはすべてコンクリートが充填されていることを特徴とする請求項１記載の構造改良型枡蓋。
【請求項１０】
前記枡蓋本体の第一金属管、補強層の第二金属管、第二補強層の第三金属管について、
その断面形状としては長方形管が優先的に選択されることを特徴とする請求項１、５または９記載の構造改良型枡蓋。
【発明の詳細な説明】
【技術分野】
【０００１】
本発明は地下または水中構造物に関するものであり、特に構造改良型枡蓋に関するものである。
【背景技術】
【０００２】
初期の枡蓋は一般にすべて金属で製造されていたため、初期の枡蓋には次の欠点、つまり製造コストが高く、金属原材料資源を浪費し、盗難に遭いやすいという欠点があった。そのため設計担当者は複合枡蓋を設計した。つまり現在市場で常に見掛ける枡蓋である。現在の複合枡蓋には一般に金属で構成されている骨組と金属製骨組上に固設されているコンクリートとが含まれている。現在の複合枡蓋では一部の金属原材料資源を節約することはできるが、それには次の欠点が挙げられる。
【発明の開示】
【発明が解決しようとする課題】
【０００３】
第一に、金属製骨組には比較的多くの金属原材料資源が必要であるため、製造コストが高い点であり、第二に、現在の複合枡蓋は強度が高くない点であり、第三に、窃盗者が投げ壊す、叩き壊すまたは溶融するなどの方法により簡単に現有の複合枡蓋から金属製骨組を取り出すことができるため、窃盗者による窃盗は容易である点である。
【課題を解決するための手段】
【０００４】
本発明の目的は強度が高く、使用される金属原材料は少ない構造改良型枡蓋を提供することにある。
本発明の次の目的は枡蓋上から金属原材料を取り出すことが困難な構造改良型枡蓋を提供することにある。
【０００５】
本発明では下記の技術案が採用されている：構造改良型枡蓋であり、その枡蓋本体は数本の水平に並列配置されて固定接続されている第一金属管で枡蓋本体が構成されており、各第一金属管内にはすべてコンクリートが充填されている。
【０００６】
本発明における前記枡蓋本体の上側面には樹脂層またはガラス繊維強化プラスチック層が付着しており、樹脂層またはガラス繊維強化プラスチック層の上平面は水平面である。
【０００７】
本発明における前記枡蓋本体の隣接する２本の第一金属管の間の対応する側面は溶接または粘着により隙間なしの固定接続として接続されている。
【０００８】
本発明における前記枡蓋本体の隣接する２本の第一金属管の間の対応する側面は、溶接または粘着により隙間を有する固定接続として接続されている。
【０００９】
本発明における前記枡蓋本体には補強層が固定接続されており、補強層は複数本水平に並列配置されて固定接続されている第二金属管で構成されており、各第二金属管内にはすべてコンクリートが充填されている。
【００１０】
本発明における前記補強層における、複数本の並列配置されている第二金属管と枡蓋本体における複数本並列配置されている第一金属管とは、交叉または交錯して配列されている。
【００１１】
本発明における前記補強層の隣接する２本の第二金属管の間の対応する側面は、溶接または粘着により隙間なしの固定接続として接続されている。
【００１２】
本発明における前記補強層の隣接する２本の第二金属管の間の対応する側面は、溶接または粘着により隙間を有する固定接続として接続されている。
【００１３】
本発明における前記枡蓋本体には第二補強層が固定接続されており、第二補強層は複数本水平に並列配置されて固定接続されている第三金属管で構成されており、各第三金属管内にはすべてコンクリートが充填されている。
【００１４】
本発明における前記枡蓋本体の第一金属管、補強層の第二金属管、第二補強層の第三金属管について、その断面形状としては長方形管が優先的に選択される。
【００１５】
上記の通り、更に必要に応じて、並列配置されている第二補強層の下側面に第三補強層、第四補強層を固設することも可能である。
【発明の効果】
【００１６】
上記本発明の構造に対する記述で判明する通り、背景技術と相互に比較した場合、本発明には下記の利点が挙げられる。
【００１７】
本発明の枡蓋本体には数本の第一金属管とコンクリートとが含まれ、複数本の第一金属管の金属原材料は少なく、コストは低く、コンクリートが複数本の第一金属管内に充填されているため、強度は良好であり、金属管の剪断強度は高い。たとえ窃盗者が枡蓋を盗んだとしても、金属原材料を取り出すことは非常に困難であるため、窃盗者はそれを盗み出すことができない。また前記第一金属管は方形管とすることができ、円形管とすることもできる。
【００１８】
本発明の枡蓋本体の上側面には樹脂層またはガラス繊維強化プラスチック層が付着しており、樹脂層またはガラス繊維強化プラスチック層の強度は高く、かつ上平面は全体として水平であるため、表面強度は高く、全体強度も高い。
【００１９】
本発明の枡蓋本体には補強層が固定接続されており、数本の並列配置されている第二金属管と数本の並列配置されている第一金属管とが交叉または交錯して配列されているため、枡蓋の全体強度は効果的に向上している。
【００２０】
本発明における第一金属管の間の固定接続方式は隙間なしの固定接続であり、第二金属管の間の固定接続方式も隙間がない固定接続であるため、全体として密封された枡蓋となっている。
【００２１】
本発明における第一金属管の間の固定接続方式は隙間を有する固定接続であり、第二金属管の間の固定接続方式も隙間を有する固定接続であるため、全体として非密封の枡蓋となっており、液体は隙間から下に向けて流動することが可能である。
【００２２】
本発明における枡蓋本体には第二補強層が固定接続されているため、強度は高い。
【００２３】
本発明における第一金属管、第二金属管、第三金属管について、その断面形状としては長方形管が優先的に選択される。
【発明を実施するための最良の形態】
【００２４】
構造改良型枡蓋であり、図１、２に示す如く、枡蓋本体１０、補強層１２とガラス繊維強化プラスチック層１４とが含まれている。枡蓋本体１０は複数本水平に並列配置されて固定接続されている第一金属管１６で構成され、補強層１２は複数本水平に並列配置されて固定接続されている第二金属管１８で構成されており、各第一金属管１６、各第二金属管１８内にはすべてコンクリート２０が充填されており、補強層１２は枡蓋本体１０の下側面に固定接続されている。ガラス繊維強化プラスチック層１４は枡蓋本体１０の上側面に付着しており、ガラス繊維強化プラスチック１４の上平面は水平面である。
【００２５】
本発明の実施例では枡蓋の横断面が正方形として例示されているが、枡蓋の横断面が正方形に限定されるわけではなく、その他、枡蓋の横断面が円形、正六角形、正八角形の場合も本発明に適用される。
【００２６】
各第一金属管１６及び各第二金属管２０の構造は同一であり、各第一金属管１６及び各第二金属管２０の横断面はすべて方形である。
【００２７】
補強層１２は枡蓋本体１０の下側面に固定接続されており、複数本並列配置されている第二金属管２０が複数本並列配置されている第一金属管１６の下側面に固定接続されており、前記複数本並列配置されている第二金属管２０と複数本並列配置されている第一金属管１６とは垂直に交叉配列されている。
【００２８】
ガラス繊維強化プラスチック層１４は粘着または機械的構造乃至その他方式により複数本並列配置されている第一金属管１６の上側面に固定されている。ガラス繊維強化プラスチック層１４の横断面は枡蓋本体１０の横断面と同一である。ガラス繊維強化プラスチック層１４の上側面には装飾層を設けることも可能である。
【００２９】
枡蓋本体１０と補強層１２とを固定接続した後、コンクリート１４を充填する前に、必要に応じて複数本並列配置されている第一金属管１６及び複数本並列配置されている第二金属管２０の外周縁を受枠に嵌合する構造として加工することが可能である。
【００３０】
枡蓋本体１０の複数本並列配置されている第一金属管１６について、そのうちの各隣接する２本の第一金属管１６の間の対応する側面２２、２２’は、溶接または粘着により隙間なしの固定接続として接続される。
【００３１】
補強層１２の複数本並列配置されている第二金属管２０について、そのうちの各隣接する２本の第二金属管２０の間の対応する側面２４、２４’は、溶接または粘着により隙間なしの固定接続として接続される。
【００３２】
複数本並列配置されている第一金属管１６の間の固定接続方式は隙間なしの固定接続であり、複数本並列配置されている第二金属管２０の間の固定接続方式も隙間がない固定接続であるため、枡蓋全体は密封されて透水不可能な枡蓋となっている。
【００３３】
枡蓋本体１０、補強層１２の外周縁には必要に応じて山形鋼を固設して枡蓋の強度を増強させ、枡蓋を保護することが可能であり、また複数本の第一金属管１６、複数本の第二金属管２０の管口にプラグを設置することも可能である。
【００３４】
枡蓋の側面と底面とには共に塗膜層が設置され、塗膜層はガラス繊維強化プラスチック層１４と共に密閉された外層を構成する。塗膜層には樹脂層、ガラス繊維強化プラスチック層、エポキシ樹脂、サビ防止塗料を選択することが可能である。塗膜層は枡蓋内の金属管にサビが発生することを防止する作用、つまり保護作用を発揮し、装飾作用を発揮することも可能である。
【００３５】
前記コンクリート２０は一般のセメントとすることができ、高分子コンクリート、樹脂コンクリート、特殊コンクリートなどとすることも可能である。
【００３６】
図３に示されている通り、本発明の実施例と組み合わされる受枠には円形の枡口２６と下に窪んだ接続ベース２８とが備わり、接続ベース２８は方形で、接続ベース２８の中心と枡口２６の円形とは重なり合っている。接続ベース２８は枡蓋と相互に嵌合し、その横断面は枡蓋の横断面と同一である。枡蓋と接続ベース２８との間の相対的接触面積、つまり嵌合面積は枡蓋の横断面と枡口の横断面との差であるため、接触面積が大きいと、接続強度は向上する。
【００３７】
本発明における別の適正実施例は、図４に示されている通りであり、前記複数本の並列配置されている第二金属管２０と複数本の並列配置されている第一金属管１６とは垂直に交錯して配列されており、ハニカム構造を呈している。当該実施例における枡蓋の両側には、階段構造が形成されている。
【００３８】
以上で言及されているのは、本発明における適正実施例に過ぎないため、それにより本発明の実施範囲を限定することはできず、本発明の出願範囲及び明細書の内容に基づき実施された等価な変更や修飾は、すべて本発明がカバーする範囲に属することは言うまでもない。
【産業上の利用可能性】
【００３９】
本発明における枡蓋は地下または水中構造物に応用することができるばかりではなく、樹木保護蓋、駐車場の緑化レンガなどにも応用することが可能である。
【図面の簡単な説明】
【００４０】
【図１】本発明における実施例一の立体分解構造見取図である。
【図２】本発明における実施例一の立体構造見取図である。
【図３】本発明における実施例一に組み合わされる受枠の立体構造見取図である。
【図４】本発明における別の実施例の立体構造見取図である。
【図１】
2006132155.tif 000003
【図２】
2006132155.tif 000004
【図３】
2006132155.tif 000005
【図４】
2006132155.tif 000006